(57)【要約】【課題】            この考案は、ショルダーベルトの取扱を便利にすることが可能な、バックのショルダーベルト保持具を提供することを課題とする。【解決手段】        この考案の保持具を有するショルダーベルト１とバッグ2のそれぞれに装着する保持具3と保持具4に、自由に取付け、取外しができるジョイント部を設け、バッグ2本体の任意の位置で保持し、本体の取っ手を持って携帯する場合にショルダーベルト1が垂れ下がることを防止できるようにしている。【選択図】          図１
0003128156.tif 000002
【実用新案登録請求の範囲】
【請求項１】
ショルダーベルトを有するバッグのショルダーベルト1とバッグ2のそれぞれに装着する保持具3と保持具4に自由に取付け、取外しができるジョイント部を設け、バッグ2本体の任意の位置で保持し、ショルダーベルトを使用せずに本体の取っ手を持って携帯する場合にショルダーベルト1が垂れ下がることを防止できるようにしたことを特徴とするバッグのショルダーベルト用保持具。
【考案の詳細な説明】
【技術分野】
【０００１】
この考案はビジネスバッグ、旅行用バッグ等、ショルダーベルトと取っ手を有するバッグに提供され、ショルダーベルトの不使用時の取扱を便利にすることができる保持具に関するものである。
【背景技術】
【０００２】
従来、ショルダーベルトと取っ手を有するバッグはショルダーベルトを使用せずに、バッグの取っ手を持って携帯する場合、ショルダーベルトが垂れ下がった状態になり、ショルダーベルトが地面に接して汚れたり、何かに引っ掛かったりする危険性があった。
【０００３】
そのため、ショルダーベルトを取り外してバッグ本体内に収納したり、バッグ本体の取っ手と一緒に手で持ったりしていたが、わずらわしく、邪魔で、取扱が不便であった。
【０００４】
この改善策として、一方側が開放した挟み部を設けたショルダーベルト用留め具にショルダーベルトを保持し、ショルダーベルトが垂れ下がることを防止する留め具があるが挟み部への装着のわずらわしさ、ベルトの一方側に偏って装着、あるいはベルトがずれた場合、本来の目的を得られない。
【特許文献１】特開２００２−２３８６２９号公報
【考案の開示】
【考案が解決しようとする課題】
【０００５】
そこで、この考案は、ショルダーベルトの取扱を便利にすることが可能な、バックのショルダーベルト保持具を提供することを課題とする。
【課題を解決するための手段】
【０００６】
前記課題を解決するために、この考案は次のような技術的手段を講じている。
【０００７】
この考案の保持具を有するショルダーベルト１とバッグ2のそれぞれに装着する保持具3と保持具4に、自由に取付け、取外しができるジョイント部を設け、バッグ2本体の任意の位置で保持し、本体の取っ手を持って携帯する場合にショルダーベルト1が垂れ下がることを防止できるようにしている。
【０００８】
この考案のショルダーベルト保持具3はバッグの取っ手部3(1）、バッグ本体2とショルダーベルト１をとを連結する連結部材7、ショルダーベルト付け根3(4）、側面3(2）、3(3）、3(5）、裏面などのいずれの位置に設けても良い。また一箇所に限らず、複数個所に設けても良い。
【０００９】
この考案のショルダーベルト保持具3、保持具4はショルダーベルト1、バッグ2本体それぞれにキーホルダーのようにチェーンなどでぶら下げる、ビス、クリップなどで取付ける、あらかじめ縫い付ける、あるいは他の方法で装着しても良い。
【考案の効果】
【００１０】
この考案のショルダーベルト用保持具はショルダーベルト不使用時に簡単にショルダーベルトをバッグ本体に保持することができ、ショルダーベルトが垂れ下がって地面に接して汚れたり、何かに引っ掛かったりすることを防止でき、ショルダーベルトの取扱を便利にすることができる。
【考案を実施するための最良の形態】
【００１１】
以下、この考案の実施形態を図面を参照して説明する。
【００１２】
図1はこの考案の保持具を有するショルダーベルト１とバッグ2のそれぞれに装着する保持具3と保持具4に、自由に取付け、取外しができるジョイント部を設け、バッグ2本体の任意の位置で保持し、本体の取っ手を持って携帯する場合にショルダーベルト1が垂れ下がることを防止できるようにしたものである。
【００１３】
図2はこの保持具を設けたバッグで、保持具を使用していない状態を示す図、図１は保持具を3(1)、図3は保持具を3(2)の位置で使用している状態を示した図、図4は保持具3を示した図、図5、図6は保持具4の裏表を示した図である。この実施形態は図4に示すように保持具3をキーホルダー状にし、取っ手６の下部3(1)に設け、ジョイント部に磁石を使用し、Ｖの字状の突起を設ける。保持具4は図5で示す片方が開放しているクリップ状の装置により、ショルダーベルト１に挟み込む。図6ではクリップ状の装置の表側にＶの字状の突起を設けた状態を示している。Ｖの字の突起状態にすることにより、保持具3のＶの字状の突起部と合わさることで下方、左右方向のずれを防止することができる。
【００１４】
この保持具3、保持具4は磁石をジョイント部に使用しているが面ファスナーやその他の装置を使用しても良い。また、保持具3はキーホルダー状に限らずあらかじめバッグに縫い付ける、もしくはビス等で固定しても良い。保持具4も同様とする。
【００１５】
この保持具3、保持具4はネームタグ、キーホルダー状、縫い付け、ビス止め以外にも、安全ピンのような着脱が容易なものでも良い。
【００１６】
保持具3は図3に示すように、バッグの取っ手部3(1)、バッグ本体2とショルダーベルト１とを連結する連結部材7、側面3(2)、3(3)、3(4)、3(5)、裏面などのいずれの位置に設けても良い。また一箇所に限らず、複数個所に設けても良い。
【００１７】
保持具3(図4)、保持具4(図6)は下部にそれぞれがかみ合うＶの字状の突起部をつけることにより、下方、左右方向にずれなくすることが目的であるため、その他の形状で有っても良い。または、ずれが大きくない場合には設けなくても良い。例えば図7のようにハート型などのデザイン、彩色をすることにより、見た目にもおしゃれで、高級感のあるものにするのが望ましい。
【００１８】
保持具4のショルダーベルト1を挟み込むクリップ(図5)の裏側に凹凸、もしくはツメを設け、ショルダーベルトがずれにくくすることが望ましい。また、クリップの端を内側に折り込むことでベルトが抜けにくくするのも良い。
【００１９】
保持具4は図5肩当の裏に外側にして装着するのが望ましい。また、肩当に保持具4の機能を組み込んでも良い。
【００２０】
保持具3、4のジョイント部に磁石を使用する場合、保持具4に磁石を装着すれば磁石の働きにより肩の血行促進などの効果も期待できる。
【００２１】
この保持具は金属製、合成樹脂性等、適宣の素材で製造することができる。
【図面の簡単な説明】
【００２２】
【図１】この考案の実施形態のバッグのショルダーベルト用保持具を設けたバッグで、3(1)の位置で保持具を使用している状態の斜視図。
【図２】実施形態のバッグのショルダーベルト用保持具を設けたバッグで、保持具を使用していない状態の斜視図。
【図３】この考案の他の実施形態のバッグのショルダーベルト用保持具を設けたバッグで、3(2)の位置で保持具を使用している状態の斜視図。
【図４】この考案の実施形態のバッグのショルダーベルト用保持具3の斜視図。
【図５】この考案の実施形態のバッグのショルダーベルト用保持具4の裏面クリップ部の斜視図。
【図６】この考案の実施形態のバッグのショルダーベルト用保持具4の表面Ｖの字状突起部分の斜視図。
【図７】この考案の他の実施形態の保持具3,保持具4の正面図。
【図８】この考案の他の実施形態のバッグのショルダーベルト用保持具を設けたバッグで、3(4)の位置で保持具を使用している状態の斜視図。
【符号の説明】
【００２３】
１ショルダーベルト
２バッグ本体
３保持具
４保持具
５肩当
６取っ手
【図１】
0003128156.tif 000003
【図２】
0003128156.tif 000004
【図３】
0003128156.tif 000005
【図４】
0003128156.tif 000006
【図７】
0003128156.tif 000007
【図８】
0003128156.tif 000008
【図５】
0003128156.tif 000009
【図６】
0003128156.tif 000010